(57)【要約】【課題】本発明はグレーチング蓋を開放するにあたって、その都度地下道内に入って地下道内に足場を設置し、皿ボルトを固定している穴あきＬ型チャンネル下部のナットを取り外し、皿ボルトを取り除く必要がなく、地下道の出入口内部の側壁がグレーチング蓋と垂直でなく、皿ボルトを前記Ｌ型金物の穴に挿通することができず、皿ボルトの取り付けができないとされた箇所についての取り付けをも容易に行える様に構成した蓋固定装置を提供することを目的とするものである。【解決手段】  本発明は蓋固定装置であり、本蓋を閉蓋する閉蓋装置であり、ボルト状固定杆と固着具とを有し、ボルト状固定杆は回動操作部が設けられ、雄ねじ部を有して構成され、固着具は、固着片と取付片とを有し、取付片には囲い部が設けられ、ナット状取り付け部は係止片とを有して構成されたことを特徴とする。【選択図】              図１
2006090064.tif 000002
【特許請求の範囲】
【請求項１】
蓋を閉蓋する閉蓋装置であり、
前記蓋に設けられた孔を挿通するボルト状固定杆と、該固定杆が螺挿するナット状取り付け部を有する固着具とを有し、
前記ボルト状固定杆は、頭部が前記孔近傍面に係止すると共に、頭部頂面には固定杆を軸方向に回動させる回動操作部が設けられ、先端部側には前記ナット状取り付け部を螺挿する雄ねじ部を有して構成され、
前記固着具は、前記蓋と略垂直に配設する内部取付側面に固着される固着片と該固着片の一端から張り出して延出する取付片とを有し、該取付片には前記ナット状取り付け部が可動可能に収納される囲い部が設けられ、
前記ナット状取り付け部はナット状本体と該ナット状本体から外側へ張り出す係止片とを有して構成された、
ことを特徴とする蓋固定装置。
【請求項２】
蓋を閉蓋する閉蓋装置であり、
前記蓋に設けられた孔を挿通するボルト状固定杆と、該固定杆が螺挿するナット状取り付け部を有する固着具とを有し、
前記ボルト状固定杆は、頭部が前記孔近傍面に係止すると共に、頭部頂面には固定杆を軸方向に回動させる回動操作部が設けられ、先端部側には前記ナット状取り付け部を螺挿する雄ねじ部を有して構成され、
前記固着具は、前記蓋と略垂直に配設する内部取付側面に固着される固着片と該固着片の一端から張り出して延出する取付片と、該固着片の一端側幅方向両脇から略直角に張り出す一対の補助片とを有し、前記取付片には、ナット状本体と該ナット状本体から外側へ張り出す係止片を有して構成されたナット状取り付け部が可動可能に収納される囲い部が設けられて第１固着具が構成され、前記取付片の第１固着具と接する反対側の面には、当接片と当接片両端から略垂直に配設する垂下片とよりなる第２固着具が重ねられて配置され、
前記一対の取付片に設けられた横穴に移動可能な支持棒を介して前記第２固着具が内部取付側面の外側方向へ移動可能に取り付け自在とされた、
ことを特徴とする蓋固定装置。
【請求項３】
前記回動操作部は、略真円に近い楕円の凹溝で形成された、
ことを特徴とする請求項１または請求項２記載の蓋固定装置。
【請求項４】
前記蓋はスリット状あるいは網目状グレーチングである、
ことを特徴とする請求項１，請求項２または請求項３記載の蓋固定装置。
【発明の詳細な説明】
【技術分野】
【０００１】
本発明は、例えば道路等の地上面に形成された、電力ケーブルや通信ケーブル等が収容される地下道等の出入口部におけるグレーチング蓋を閉蓋する蓋固定装置に関するものである。
【背景技術】
【０００２】
電力ケーブルや通信ケーブル等が収容される地下道等には、地下道の内部換気、作業員の出入り、あるいは大物機材等の地下道内への搬出入を目的としたグレーチング蓋式換気孔が設けられている。
【０００３】
ここで、グレーチング蓋式換気孔とは、たとえば網目状の鉄製の蓋が数枚に分割して隙間なく換気孔開口部を塞ぐべく設置されている換気孔をいう。
【０００４】
そして、関係者の出入りのためなどを目的にグレーチング蓋の一部分は開閉できる構造となっており、通常はその部分にはたとえば二重構造の鍵が設置される。
【０００５】
また、その他のグレーチング蓋の部分は第三者が容易に取り外すことができない様に、たとえば皿ボルトなどを用い、換気孔内部においてボルト締めし、グレーチング蓋を固定するものとしている（図７，図８参照）。
【０００６】
ところで、通常、前記のような皿ボルトの固定にあっては、換気孔の内部側壁に固定した穴あきＬ型金物が用いられている。
【０００７】
すなわち、前記皿ボルトの先端部を外側上方から垂直に差し込んでグレーチング蓋網目を通過させ、換気孔の内部側に垂下突出させる。
【０００８】
この際、換気孔内部に垂下突出する皿ボルトの先端部位置にあわせて内部の側壁側に穴あきＬ型金物を固定しなければならない。
【０００９】
そして、皿ボルトをグレーチング蓋の外側から前記内部側壁に固定された穴あきＬ型金物の穴に合うように位置決めした後、穴あきＬ型金物の下側にてボルトを螺挿するナットをねじって固定するのである。
【００１０】
ところで、地下道内で、大物機材を使用する様な作業が発生した場合には、出入口以外のグレーチング蓋をも開放する必要があるが、出入口以外のグレーチング蓋は、第三者が容易に開蓋することができないよう前述したように皿ボルト等を用い、地下道外部から開蓋操作できないようにしてあるため、その都度関係者が出入りできる箇所から地下道内に入って地下道内に足場を設置し、該足場上から皿ボルトを固定している穴あきＬ型チャンネル下部のナットを捻って取り外し、その上で固定用の皿ボルトを取り除いていた。
【００１１】
ところで、地下道の出入口の内部側壁が前記グレーチング蓋と垂直でなく、よって皿ボルトを前記Ｌ型金物の穴に挿通することができず、ひいては皿ボルトの取り付けができない箇所があり、該箇所については、従来、グレーチング蓋とグレーチング蓋枠とを溶接して固定するものとしており、その様な固定箇所を開放するにはサンダーなどによって切断しなければならなかったのである。
【００１２】
しかしながら、その様な場合には、サンダーなどによる切断作業によって火の粉が発生することから、地下道の出入口内下部に通常蓄積されている落ち葉やゴミ等に着火する可能性もあり防火対策上の課題があった。
【００１３】
さらに従来、皿ボルトの設置にあたっては、地下道の出入口側壁がグレーチング蓋と垂直でない箇所等もある上に、グレーチング蓋網目の中央になる箇所にあわせて穴あきＬ型金物を地下道の出入口側壁に設置する必要があることに鑑みると、地下道の出入口の内部での施工時間が非常に長時間となったり、特に内部の地下道の出入口側壁がグレーチング蓋と垂直でない場合は、穴あきＬ型金物を内部に設置しても無駄になってしまう等の課題が生じていた。
【特許文献１】特開２００１−３４２７４６号公報
【発明の開示】
【発明が解決しようとする課題】
【００１４】
かくして、本発明は前記従来の課題に対処するために創案されたものであって、グレーチング蓋を開放するにあたって、その都度地下道内に入って地下道内に足場を設置し、該足場上から皿ボルトを固定している穴あきＬ型チャンネル下部のナットを取り外し、その上で皿ボルトを取り除く必要がなく、また、地下道の出入口内部の側壁がグレーチング蓋と垂直でなく、よって皿ボルトを前記Ｌ型金物の穴に挿通することができず、ひいては皿ボルトの取り付けができないとされた箇所についての取り付けをも容易に行える様に構成した蓋固定装置を提供することを目的とするものである。
【課題を解決するための手段】
【００１５】
本発明による蓋固定装置は、
蓋を閉蓋する閉蓋装置であり、
前記蓋に設けられた孔を挿通するボルト状固定杆と、該固定杆が螺挿するナット状取り付け部を有する固着具とを有し、
前記ボルト状固定杆は、頭部が前記孔近傍面に係止すると共に、頭部頂面には固定杆を軸方向に回動させる回動操作部が設けられ、先端部側には前記ナット状取り付け部を螺挿する雄ねじ部を有して構成され、
前記固着具は、前記蓋と略垂直に配設する内部取付側面に固着される固着片と該固着片の一端から延出する取付片とを有し、該取付片には前記ナット状取り付け部が可動可能に収納される囲い部が設けられ、
前記ナット状取り付け部はナット状本体と該ナット状本体から外側へ張り出す係止片を有して構成された、
ことを特徴とし、
または、
蓋を閉蓋する閉蓋装置であり、
前記蓋に設けられた孔を挿通するボルト状固定杆と、該固定杆が螺挿するナット状取り付け部を有する固着具とを有し、
前記ボルト状固定杆は、頭部が前記孔近傍面に係止すると共に、頭部頂面には固定杆を軸方向に回動させる回動操作部が設けられ、先端部側には前記ナット状取り付け部を螺挿する雄ねじ部を有して構成され、
前記固着具は、前記蓋と略垂直に配設する内部取付側面に固着される固着片と該固着片の一端から延出する取付片と、該固着片の一端側幅方向両脇から略直角に張り出す一対の補助片とを有し、前記取付片には、ナット状本体と該ナット状本体下端から外側へ張り出す係止片を有して構成されたナット状取り付け部が可動可能に収納される囲い部が設けられて第１固着具が構成され、前記取付片の第１固着具と接する反対側の面には、当接片と当接片両端から略垂直に配設する垂下片とよりなる第２固着具が重ねられて配置され、
前記一対の取付片に設けられた横穴に移動可能な支持棒を介して前記第２固着具が内部取付側面の外側方向へ移動可能に取り付け自在とされた、
ことを特徴とし、
または、
前記回動操作部は、略真円に近い楕円の凹溝で形成された、
ことを特徴とし、
または、
前記蓋はスリット状あるいは網目状グレーチング蓋である、
ことを特徴とするものである。
【発明の効果】
【００１６】
本発明による閉蓋装置であれば、グレーチング蓋を開放するにあたって、その都度地下道内に入って地下道内に足場を設置し、該足場上から皿ボルトを固定している穴あきＬ型チャンネル下部のナットを取り外し、その上で皿ボルトを取り除く必要がなく、また、地下道の出入口内部の側壁がグレーチング蓋と垂直でなく、よって皿ボルトを前記Ｌ型金物の穴に挿通することができず、ひいては皿ボルトの取り付けができないとされた箇所についての取り付けをも容易に行える等の優れた効果を奏する。
【発明を実施するための最良の形態】
【００１７】
以下、本発明を図に示す実施例に基づいて説明する。
本発明はグレーチング蓋１を閉める閉蓋装置であり、該閉蓋装置は主として前記グレーチング蓋１に設けられたグレーチング蓋網目２を挿通する長尺のボルト状固定杆３と、該固定杆３が螺挿するナット状取り付け部４を有する固着具５とを有して構成されている。
【００１８】
ここで、前記ボルト状固定杆３は、その頭部６が外側に張り出す様皿状に形成されており、該頭部６がグレーチング蓋網目２の表面に密着して係止すると共に、頭部６頂面側には前記固定杆３を軸方向に回動させる回動操作部７が設けられている。
該回動操作部７は、前記皿状頭部６の上面に、通常のマイナスドライバやプラスドライバではねじ回すことのできない形状、たとえば限りなく真円に近い楕円の操作凹溝として設けるのが好ましい。
【００１９】
回動操作部７をこのような特殊な操作凹溝に構成すれば、これを回動操作する特殊工具が一般には販売されておらず、むやみに不特定多数人に開蓋操作されるおそれがないものとなる。
さらに、該固定杆３の先端部側は前記ナット状取り付け部４の雌ねじ孔を螺挿する雄ねじ部として構成されている。
【００２０】
次に固着具５の構成につき説明すると、該固定具５は、第１固着具１７と第２固着具１８を備えて構成され、第１固着具１７は前記グレーチング蓋１と通常は略垂直に垂下する地下道の出入口８の内部取付側面９に固着される固着片１０と該固着片１０の一端から略直角に延出する取付片１１と、該固着片１０の一端側幅方向両脇から略直角に張り出す一対の補助片１２，１２とを有して構成される。
【００２１】
また、前記取付片１１の裏面側には図６から理解されるように、略ケース状の囲い部１５が設けられており、該囲い部１５には、ナット状本体１３と該ナット状本体１３下端から外側へ張り出す係止片１４を有して構成されたナット状取り付け部４が可動可能に、かつ下側へ落下しないように収納される。
【００２２】
すなわち、囲い部１５が設けられた取付片１１には、前記ナット状本体１３の外径より若干大きく、かつ前記係止片１４の外径よりは小さい外径の孔２３が穿設され、該孔２３に前記ナット状本体１３が遊嵌して可動出来、かつ外側には飛び出ない構成とされている。
【００２３】
しかして、第１固着具１７は前記固着片１０と該固着片１０の一端から略直角に延出する取付片１１と、該固着片１０の一端側幅方向両脇から略直角に張り出す一対の補助片１２，１２と、前記取付片１１裏面側に設けられた略ケース状の囲い部１５と、この囲い部１５内で可動するナット状取り付け部４とを有して構成される。
【００２４】
また、第２固着具１８は、前記第１固着具１７の取付片１１の上面に重ねて配置される当接片１９と当接片１９両端から垂下する垂下片２０，２０とにより構成されている。
【００２５】
そして、前記一対の取付片１１，１１に設けられた水平横穴２１に移動可能に取り付けられた支持棒２２，２２を介して前記第２固着具１８は内部取付側面９の面外側方向へ水平移動可能に取り付けられている。
【００２６】
このような第１固着具１７及び第２固着具１８の組み合わせによれば、前記地下道の出入口８の内部取付側面９が前記グレーチング蓋１と垂直になっていないとき、あるいは障害物などの埋設物の影響など何らかの事情により垂直に取り付けられないとき、前記ナット状取り付け部４の可動および前記第２固着具１８を可動させることにより長尺のボルト状固定杆３を前記グレーチング蓋１に対し常に垂直状態にして取り付けられるのである。
すなわち、上記構造の固着具５により、前記ナット状取り付け部４の動きが取付角度吸収をできることとなり、もって地下道の出入口８の内部取付側面９がグレーチング蓋１に対して決して垂直側面でなくとも、ボルト状固定杆３の垂直取付を可能としたものである。
【００２７】
さらに、従来、グレーチング蓋網目２の中央部に対応する位置の取付側面９に固着具５を設置できない場合でもコ型をなす第２固着具１８を取付側面９の面外方向へ移動させることによって調整でき、もってボルト状固定杆３をたえずグレーチング蓋網目２の中央部位置で固定できるものとなっている。
【００２８】
このように、本発明による閉蓋装置であれば、地下道の出入口８の内部側壁である内部取付側面９がグレーチング蓋１に対して垂直面でなくとも、角度吸収できてスムーズに取り付けられる。
【００２９】
また、グレーチング蓋網目２の略中央位置に対応する取付側面９の位置に固着具５が設置できない場合であったとしても、前記のように第２固着具１８によって取付側面９の面外方向へ調整でき、もってボルト状固定杆３をたえずグレーチング蓋網目２の中央部位置で固定できるものとなっている。
【００３０】
これにより従来のごとく、皿ボルトを取り外し、取り付けするための足場費用など取り付け、取り外しの割り増し費用がかからず、もってその箇所でのコストアップ防止をはかることができることになる。
【図面の簡単な説明】
【００３１】
【図１】本発明の構成説明図（その１）である。
【００３２】
【図２】本発明の構成説明図（その２）である。
【００３３】
【図３】本発明によってグレーチング蓋を閉めた状態構成の要部を説明する説明図である。
【００３４】
【図４】本発明によって角度調整する状態を説明する説明図である。
【００３５】
【図５】本発明によってグレーチング蓋を閉めた状態の構成を説明する説明図である。
【００３６】
【図６】囲い部とナット状取付部の構成を説明する説明図である。
【００３７】
【図７】従来の構成説明図（その１）である。
【００３８】
【図８】従来の構成説明図（その２）である。
【符号の説明】
【００３９】
１  グレーチング蓋
２  グレーチング蓋網目
３  ボルト状固定杆
４  ナット状取り付け部
５  固着具
６  頭部
７  回動操作部
８  地下道の出入口
９  内部取付側面
１０  固着片
１１  取付片
１２  補助片
１３  ナット状本体
１４  係止片
１５  囲い部
１７  第１固着具
１８  第２固着具
１９  当接片
２０  垂下片
２１  横穴
２２  支持棒
２３  孔
【図１】
2006090064.tif 000003
【図２】
2006090064.tif 000004
【図３】
2006090064.tif 000005
【図４】
2006090064.tif 000006
【図５】
2006090064.tif 000007
【図６】
2006090064.tif 000008
【図７】
2006090064.tif 000009
【図８】
2006090064.tif 000010